(57)【要約】【課題】  警備システムのオン、オフ条件をドアロック装置の開閉に関連付けるため、施錠状態を確実に認識し得るような表示を行うドア用ロック装置の施錠状態表示用装置を提供すること。【解決手段】  警備システムが設けられた建物のドア用ロック装置において、前記ドア用ロック装置のストライクボックス１１０におけるデッドボルト２１３に対向する位置に設けられ、前記デッドボルトの施錠状態／解錠状態を検出する施錠状態検出手段１１２ａ，１１２ｂと、前記施錠状態検出手段に接続され、前記デッドボルトの施錠状態／解錠状態が変化したことを検知したとき所定の音声を発する音声装置とをそなえ、前記ドアロック装置の施錠または解錠操作が行われたときに音声表示するドア用ロック装置の施錠状態表示用装置。【選択図】  図１
2006112042.tif 000002
【特許請求の範囲】
【請求項１】
警備システムが設けられた建物のドア用ロック装置において、
前記ドア用ロック装置のストライクボックスにおけるデッドボルトに対向する位置に設けられ、前記デッドボルトの施錠状態／解錠状態を検出する施錠状態検出手段と、
前記施錠状態検出手段に接続され、前記デッドボルトの施錠状態／解錠状態が変化したことを検知したとき所定の音声を発する音声装置とをそなえ、
前記ドアロック装置の施錠または解錠操作が行われたときに音声表示するドア用ロック装置の施錠状態表示用装置。
【請求項２】
警備システムが設けられた建物のドア用ロック装置において、
前記ドア用ロック装置のストライクボックスにおけるデッドボルトに対向する位置に、前記デッドボルトが施錠状態にあるとき当接するように設けられたスイッチと、
前記スイッチに接続され、前記デッドボルトが当接または避退することにより前記スイッチが作動したとき所定の音声を発する音声装置とをそなえ、
前記ドアロック装置の施錠または解錠状態を音声表示するドア用ロック装置の施錠状態表示用装置。
【請求項３】
請求項２記載の、ドア用ロック装置の施錠状態表示用装置において、
前記スイッチは、バネ性金属が前記デッドボルトに向かってやや折り曲げられた一対の電極であり、前記デッドボルトが前記ストライクボックス内に突出しているとき当該デッドボルトにより押圧されて屈曲し相互間が接続される
ことを特徴とするドア用ロック装置の施錠状態表示用装置。
【請求項４】
請求項２記載の、ドア用ロック装置の施錠状態表示用装置において、
前記スイッチは、前記ストライクボックス内に緩衝材を介して取り付けられ、前記デッドボルトが前記ストライクボックス内に突出しているとき押圧されて閉じる膜型スイッチである
ことを特徴とするドア用ロック装置の施錠状態表示用装置。
【発明の詳細な説明】
【技術分野】
【０００１】
本発明は、ドア用ロック装置に係り、とくに機械式警備システムを利用する上で警備システムの作動点検条件を与えるドアロック装置に関する。
【背景技術】
【０００２】
機械警備システムを利用した警備方式では、例えば会社が無人になるときに警備システムを作動させて機械による警備状態とし、従業員が出社したら作動停止させる。そのため、全員退社時に警備システムの作動スイッチをオンにして室内を機械警備下に置き、誰かが出社した際に作動スイッチをオフにする。
【発明の開示】
【発明が解決しようとする課題】
【０００３】
しかしながら、実際の警備行動では、想定外の事態が生じる。すなわち、ときに警備システムをオフにせずに入室した結果、警備システムは異常があるものとして警報を発し、警備会社の待機要員が無用の出動をするというもので、このようなことが時折起きる。
【０００４】
本発明は上述の点を考慮してなされたもので、警備システムのオン、オフ条件をドアロック装置の開閉に関連付けるため、施錠状態を確実に認識し得るような表示を行うドア用ロック装置の施錠状態表示用装置を提供することを目的とする。
【課題を解決するための手段】
【０００５】
上記目的達成のため、本発明では、
警備システムが設けられた建物のドア用ロック装置において、
前記ドア用ロック装置のストライクボックスにおけるデッドボルトに対向する位置に設けられ、前記デッドボルトの施錠状態／解錠状態を検出する施錠状態検出手段と、前記施錠状態検出手段に接続され、前記デッドボルトの施錠状態／解錠状態が変化したことを検知したとき所定の音声を発する音声装置とをそなえ、前記ドアロック装置の施錠または解錠操作が行われたときに音声表示するドア用ロック装置の施錠状態表示用装置、および
警備システムが設けられた建物のドア用ロック装置において、前記ドア用ロック装置のストライクボックスにおけるデッドボルトに対向する位置に、前記デッドボルトが施錠状態にあるとき当接するように設けられたスイッチと、前記スイッチに接続され、前記デッドボルトが当接または避退することにより前記スイッチが作動したとき所定の音声を発する音声装置とをそなえ、前記ドアロック装置の施錠または解錠状態を音声表示するドア用ロック装置の施錠状態表示用装置、
を提供するものである。
【発明の効果】
【０００６】
本発明は上述のように、ドアロック装置の施錠状態／解錠状態に応じた音声表示を行うようにしたため、入退室のためドアロック装置を施錠、解錠した人は警備システムに対する注意が喚起され、警備システムを確実にオン、またはオフさせて無用な作動を防止することができる。
【発明を実施するための最良の形態】
【０００７】
以下、添付図面を参照して本発明の実施例を説明する。
【実施例１】
【０００８】
図１(a),(b)は、本発明の一実施例におけるドア枠の構造を示したものである。ドア枠１００に設けられたストライクボックス１１０は、ドア(図示せず)との対向面にストライク板１１１が止めネジ１１２により固定されている。このストライク板１１１のドアとの対向面上部からストライクボックス１１０の内部に向けて接点式センサ１２０を設ける、これは、絶縁シート１２１を配し、その上にスイッチ要素としての一対の条片状をなす導体１２２を設けたものである。
【０００９】
図２は、これら絶縁シート１２１および導体１２２を拡大して示したものである。絶縁シート１２１は、ストライク板１１２の上部からストライクボックス１１０内に向かって側面形状がＬ字状をなすものであり、止めネジ１１２によりストライク板１１１と共締めされてドア枠に固定される。
【００１０】
そして、絶縁シート１２１の表面に一対の条片状の導体１２２が接着されている。この導体１２２は、バネ性導電体により構成され、側面形状がほぼクランク状をなし、そのうち基端側のＬ字形部分が絶縁シート１２１に接着固定されており、Ｌ字形部分に連なる先端の自由端がストライクボックス１１０の底面とほぼ平行に配されて接点１２２ａ，１２２ｂを構成し、この自由端がストライクボックス１１０の底面から浮いていて押圧され得る状態となっている。
【００１１】
これら接点１２２ａ，１２２ｂは、ドアが施錠されたときデッドボルトが当接して相互間が接続状態となり、ドアが解錠されたときデッドボルトが避退して非接続状態となるものである。これにより、デッドボルトがそれ自体の導電性により接続してもよいし、デッドボルトが当接したとき接点１２２ａ，１２２ｂを他の導体に押し付けて接続するようにしてもよい。
【００１２】
接点１２２ａ，１２２ｂは、図示しない音声発生装置に接続されており、相互間が接続されるか否かに応じて音声発生装置が異なる音声を発生する。例えば、解錠されて接点１２２ａ，１２２ｂ間の接続が断たれたときは、例えば「警備システムをオフにしてください。」とのアナウンスが、また施錠されて接点１２２ａ，１２２ｂ間が接続されたときは、例えば「室内に誰も残っていませんか?」とのアナウンスが流れる。
【００１３】
これにより、ドアロック装置を操作した人は、警備システムをオンまたはオフすべきことに気付き、必要な確認を行うことになる。
【００１４】
図３は、図１および図２に示した実施例を組み合わされるドア２００の構造を示したもので、一般の建物で汎用されているサムターン付きシリンダ錠である。すなわち、レバーハンドル２０１の操作によりラッチボルト２０２を出没させてストライクボックス１１０のストライク板と係合あるいは係合解除する。またシリンダ錠の鍵穴に鍵を差し込んで操作することによりデッドボルト２１３を出没させてストライク板と係合あるいは係合解除する。
【００１５】
図４は、閉扉解錠状態つまりドアが閉まり施錠されていないときのストライクボックス１１０の縦断面を示している。図示左側がドア枠１００で、右側がドア２００である。
【００１６】
このとき、ドア２００のラッチボルト２０２がドア枠１００のストライク板１１１に係合して閉扉状態となっている。デッドボルト２１３は、ドア２００内にあり、ストライクボックス１１０内に突出してはいないため、接点１２２相互間は不接続状態にある。また、施錠されてデッドボルト２１３が想像線で示すように図示左方に突出すると、接点１２２に当接して相互間を接続する。
【００１７】
そして、デッドボルト２１３が当接して接点１２２相互間が接続されたり接続が断たれたりすると、音声発生装置がアナウンスを行う。
【実施例２】
【００１８】
図５(a)ないし(c)は、接点１２２の構造例を示したものである。図５(a)は、図１、図２および図４に示したものと同じであり、図５(b),(c)に示したものは他の構造例である。すなわち、図５(b)のものはストライクボックス１１０の側面に接点を配しており、デッドボルト２１３の側部に当接する一対のバネ性条片１２２−２が配されている。また、図５(c)のものは、ストライクボックス１１０の上下各方向からそれぞれ延び出した一対のバネ性板材１２２−３により構成されており、デッドボルトに対向する位置に両者の先端部分が配されている。
【実施例３】
【００１９】
上記実施例では、デッドボルトによりスイッチを作動させて音声を発することとしているが、光を発生させるようにしてもよい。
【実施例４】
【００２０】
上記実施例におけるスイッチは、フィルム同士が接、離する膜型のスイッチなどでもよい。
【図面の簡単な説明】
【００２１】
【図１】本発明の一実施例の構成を示す説明図。
【図２】図１に示した実施例における絶縁シート１２１および導体１２２を拡大して示した斜視図。
【図３】図１および図２に示した実施例を組み合わされるドア２００の構造を示した斜視図。
【図４】上記実施例における閉扉解錠状態つまりドアが閉まり施錠されていないときのストライクボックスの縦断面図。
【図５】上記実施例における接点１２２の構造例を示した斜視図。
【符号の説明】
【００２２】
１００  ドア枠、１１０  ストライクボックス、１１１  ストライク板、
１１２  止めネジ、１２０  接点式センサ、１２１  絶縁シート、
１２２  接点、２００  ドア、２０１  ハンドル、２０２  ラッチボルト、
２１１  シリンダ錠、２１２  鍵穴、２１３  デッドボルト。
【図１】
2006112042.tif 000003
【図２】
2006112042.tif 000004
【図３】
2006112042.tif 000005
【図４】
2006112042.tif 000006
【図５】
2006112042.tif 000007